(57)【要約】【課題】  複数の表示画面を表示させた場合でも、ユーザが所望する地図情報を見易い態様で表示する。【解決手段】  携帯端末装置２０は、表示制御手段２０１は、位置取得手段２０３が取得した現在位置または操作入力手段２０５から受け付けた地点情報を表示開始地点として、表示手段２０４の第１の表示領域に当該表示開始地点を中心に地図を表示させ、スクロール動作が検出されると、表示制御手段２１０は、指示カーソルの指定する地点を中心とする地図を前記第１の表示領域に表示させると共に、座標卯算出手段２０８によって算出された表示開始地点と指定カーソルの指定する地点の座標を第２の表示領域に表示させ、変換比率算出手段２０９によって算出された変換比率に基づいて前記第１の表示領域に対応する領域情報を算出して前記第２の表示領域に表示させる。【選択図】  図１
2010121940.tif 000002
【特許請求の範囲】
【請求項１】
地図配信サーバと携帯端末装置とを備え、地図配信サーバは地図データベースに蓄積された地図情報を携帯端末装置に送り、携帯端末装置が受信した地図情報に基づいてユーザに対して所定の地図表示を行う地図表示システムであって、
前記携帯端末装置は、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記操作入力手段によるスクロール動作が検出されると、前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする地図表示システム。
【請求項２】
前記変換比率算出手段は、前記第１の表示領域に表示する地図に経路案内情報が含まれる場合には、当該経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係により、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする請求項１に記載の地図表示システム。
【請求項３】
前記変換比率算出手段は、前記第１の表示領域に表示する地図に施設情報が含まれる場合には、当該施設情報の表示領域、前記第１の表示領域、および第２の表示領域のサイズの比率と、前記表示開始地点と指定カーソルの指定する地点と施設情報との位置関係により、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする請求項１に記載の地図表示システム。
【請求項４】
前記変換比率算出手段は、前記第１の表示領域に表示する地図に経路案内情報と施設情報が含まれる場合には、当該経路案内情報に含まれる出発地点と到着地点とを含むルート情報の表示領域、当該施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報、および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする請求項１に記載の地図表示システム。
【請求項５】
前記操作入力手段による地図の拡大・縮小動作が検出されると、前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする請求項１に記載の地図表示システム。
【請求項６】
前記第１の表示領域に表示する地図に経路案内情報が含まれる場合において、前記操作入力手段による地図の拡大・縮小動作が検出されると、前記変換比率算出手段は、前記経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係より、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする請求項１又は請求項２に記載の地図表示システム。
【請求項７】
前記第１の表示領域に表示する地図に施設情報が含まれる場合において、前記操作入力手段による地図の拡大・縮小動作が検出されると、前記変換比率算出手段は、前記施設情報の表示領域、前記第１の表示領域、および第２の表示領域のサイズの比率と、前記表示開始地点と指定カーソルの指定する地点と施設情報との位置関係より、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする請求項１又は請求項３に記載の地図表示システム。
【請求項８】
前記第１の表示領域に表示する地図に経路案内情報と施設情報が含まれる場合において、前記操作入力手段による地図の拡大・縮小動作が検出されると、前記変換比率算出手段は、前記経路案内情報に含まれる出発地点と到着地点とを含むルート情報の表示領域、前記施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする請求項１又は請求項４に記載の地図表示システム。
【請求項９】
前記表示制御手段は、前記第１の表示領域に表示する地図に経路案内情報が含まれる場合には、前記第２の表示領域に当該経路案内情報に対応する記号を表示することを特徴とする請求項２、請求項４、請求項６、請求項８の何れか１項に記載の地図表示システム。
【請求項１０】
前記表示制御手段は、前記第１の表示領域に表示する地図に施設情報が含まれる場合には、前記第２の表示領域に当該施設情報に対応する記号を表示することを特徴とする請求項３、請求項４、請求項７、請求項８の何れか１項に記載の地図表示システム。
【請求項１１】
前記表示制御手段は、前記第２の表示領域を前記第１の表示領域よりも小さい大きさで当該第１の表示領域に重畳するように単色かつ透過的に表示することを特徴とする請求項１乃至請求項１０の何れか１項に記載の地図表示システム。
【請求項１２】
地図配信サーバから地図データベースに蓄積された地図情報を受信し、受信した地図情報に基づいてユーザに対して所定の地図表示を行う携帯端末装置であって、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記操作入力手段によるスクロール動作が検出されると、前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする携帯端末装置。
【請求項１３】
前記変換比率算出手段は、前記第１の表示領域に表示する地図に経路案内情報が含まれる場合には、当該経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係により、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする請求項１２に記載の携帯端末装置。
【請求項１４】
前記変換比率算出手段は、前記第１の表示領域に表示する地図に施設情報が含まれる場合には、
当該施設情報の表示領域、前記第１の表示領域、および第２の表示領域のサイズの比率と、前記表示開始地点と指定カーソルの指定する地点と施設情報との位置関係により、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする請求項１２に記載の携帯端末装置。
【請求項１５】
前記変換比率算出手段は、前記第１の表示領域に表示する地図に経路案内情報と施設情報が含まれる場合には、当該経路案内情報に含まれる出発地点と到着地点とを含むルート情報の表示領域、当該施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報、および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする請求項１２に記載の携帯端末装置。
【請求項１６】
前記操作入力手段による地図の拡大・縮小動作が検出されると、前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする請求項１２に記載の携帯端末装置。
【請求項１７】
前記第１の表示領域に表示する地図に経路案内情報が含まれる場合において、前記操作入力手段による地図の拡大・縮小動作が検出されると、前記変換比率算出手段は、前記経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係より、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする請求項１２又は請求項１３に記載の携帯端末装置。
【請求項１８】
前記第１の表示領域に表示する地図に施設情報が含まれる場合において、前記操作入力手段による地図の拡大・縮小動作が検出されると、前記変換比率算出手段は、前記施設情報の表示領域、前記第１の表示領域、および第２の表示領域のサイズの比率と、前記表示開始地点と指定カーソルの指定する地点と施設情報との位置関係より、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする請求項１２又は請求項１４に記載の携帯端末装置。
【請求項１９】
前記第１の表示領域に表示する地図に経路案内情報と施設情報が含まれる場合において、前記操作入力手段による地図の拡大・縮小動作が検出されると、前記変換比率算出手段は、前記経路案内情報に含まれる出発地点と到着地点とを含むルート情報の表示領域、前記施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする請求項１２又は請求項１５に記載の携帯端末装置。
【請求項２０】
前記表示制御手段は、前記第１の表示領域に表示する地図に経路案内情報が含まれる場合には、前記第２の表示領域に当該経路案内情報に対応する記号を表示することを特徴とする請求項１３、請求項１５、請求項１７、請求項１９の何れか１項に記載の携帯端末装置。
【請求項２１】
前記表示制御手段は、前記第１の表示領域に表示する地図に施設情報が含まれる場合には、前記第２の表示領域に当該施設情報に対応する記号を表示することを特徴とする請求項１４、請求項１５、請求項１８、請求項１９の何れか１項に記載の携帯端末装置。
【請求項２２】
前記表示制御手段は、前記第２の表示領域を前記第１の表示領域よりも小さい大きさで当該第１の表示領域に重畳するように単色かつ透過的に表示することを特徴とする請求項１２乃至請求項２１の何れか１項に記載の携帯端末装置。
【請求項２３】
地図配信サーバから地図データベースに蓄積された地図情報を受信し、受信した地図情報に基づいてユーザに対して所定の地図表示を行う携帯端末装置における地図表示方法であって、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段によって、前記位置取得手段が取得した現在位置または前記操作入力手段から受け付けた地点情報を表示開始地点として、前記第１の表示領域に当該表示開始地点を中心に地図を表示させる第１のステップと、
前記操作入力手段によるスクロール動作が検出されると、前記座標算出手段によって、前記指示カーソルの指定する地点の緯度・経度情報と前記第１の表示領域に表示される地図の地図情報とに基づいて、前記表示開始地点に対する指定カーソルの指定する地点の座標を算出する第２ステップと、
前記変換比率算出手段によって、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出する第３のステップと、
前記座標算出手段によって、前記第３のステップにおいて算出された変換比率に基づいて、前記第２の表示領域における当該表示開始地点と指定カーソルの指定する地点の座標を算出する第４のステップと、
前記表示制御手段によって、前記指示カーソルの指定する地点を中心とする地図を前記第１の表示領域に表示すると共に、前記第４のステップにおいて算出された表示開始地点と指定カーソルの指定する地点の座標を前記第２の表示領域に表示し、前記変換比率に基づいて算出された前記第１の表示領域に対応する領域情報を前記第２の表示領域に表示する第５のステップと、
を有することを特徴とする地図表示方法。
【請求項２４】
前記第１の表示領域に表示する地図に経路案内情報が含まれる場合には、前記変換比率算出手段によって、当該経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係により、前記第２の表示領域における当該表示開始地点と指定カーソルの指定する地点とルート情報の座標への変換比率を算出する第６のステップと、
前記座標算出手段によって、前記第６のステップにおいて算出された変換比率に基づいて、前記第２の表示領域における当該表示開始地点と指定カーソルの指定する地点とルート情報の座標を算出する第７のステップと、
前記表示制御手段によって、前記指示カーソルの指定する地点を中心とする地図を前記第１の表示領域に表示すると共に、前記第７のステップにおいて算出された表示開始地点と指定カーソルの指定する地点とルート情報の座標を前記第２の表示領域に表示し、前記変換比率に基づいて算出された前記第１の表示領域に対応する領域情報と前記ルート情報とを前記第２の表示領域に表示する第８のステップと、を有することを特徴とする請求項２３に記載の地図表示方法。
【請求項２５】
前記第１の表示領域に表示する地図に施設情報が含まれる場合には、前記変換比率算出手段によって、当該施設情報の表示領域、前記第１の表示領域、および第２の表示領域のサイズの比率と、前記表示開始地点と指定カーソルの指定する地点と施設情報との位置関係により、前記第２の表示領域における当該表示開始地点と指定カーソルの指定する地点と施設情報の座標への変換比率を算出する第９のステップと、
前記座標算出手段は、前記第９のステップにおいて算出された変換比率に基づいて、前記第２の表示領域における当該表示開始地点と指定カーソルの指定する地点と施設情報の座標を算出する第１０のステップと、
前記表示制御手段は、前記指示カーソルの指定する地点を中心とする地図を前記第１の表示領域に表示すると共に、前記第１０のステップにおいて算出された表示開始地点と指定カーソルの指定する地点と施設情報の座標を前記第２の表示領域に表示し、前記変換比率に基づいて算出された前記第１の表示領域に対応する領域情報と前記施設情報とを前記第２の表示領域に表示する第１１のステップと、を有することを特徴とする請求項２３に記載の地図表示方法。
【請求項２６】
前記第１の表示領域に表示する地図に経路案内情報と施設情報が含まれる場合には、前記変換比率算出手段によって、当該経路案内情報に含まれる出発地点と到着地点とを含むルート情報の表示領域、当該施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報、および施設情報の座標への変換比率を算出するステップ１２と、
前記座標算出手段によって、前記ステップ１２において算出された変換比率に基づいて、前記第２の表示領域における当該表示開始地点と指定カーソルの指定する地点とルート情報と施設情報の座標を算出するステップ１３と、
前記表示制御手段によって、前記指示カーソルの指定する地点を中心とする地図を前記第１の表示領域に表示すると共に、前記ステップ１３において算出された表示開始地点と指定カーソルの指定する地点とルート情報と施設情報の座標を前記第２の表示領域に表示し、前記変換比率に基づいて算出された前記第１の表示領域に対応する領域情報と前記ルート情報と前記施設情報とを前記第２の表示領域に表示する第１４のステップと、を有することを特徴とする請求項２３に記載の地図表示方法。
【請求項２７】
前記操作入力手段による地図の拡大・縮小動作が検出されると、前記変換比率算出手段によって、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出する第１５のステップと、
前記座標算出手段によって、前記第１５のステップにおいて算出された変換比率に基づいて、前記第２の表示領域における当該表示開始地点と指定カーソルの指定する地点の座標を算出する第１６のステップと、
前記表示制御手段によって、前記指示カーソルの指定する地点を中心とする地図を前記第１の表示領域に拡大あるいは縮小表示すると共に、前記第１６のステップにおいて算出された表示開始地点と指定カーソルの指定する地点の座標を前記第２の表示領域に表示し、前記変換比率に基づいて算出された前記第１の表示領域に対応する領域情報を前記第２の表示領域に表示する第１７のステップと、を有することを特徴とする請求項２３に記載の地図表示方法。
【請求項２８】
前記第１の表示領域に表示する地図に経路案内情報が含まれる場合において、前記操作入力手段による地図の拡大・縮小動作が検出されると、前記変換比率算出手段によって、前記経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係より、前記第２の表示領域における当該表示開始地点と指定カーソルの指定する地点とルート情報の座標への変換比率を算出するステップ１８と、
前記座標算出手段によって、前記ステップ１８において算出された変換比率に基づいて、前記第２の表示領域における当該表示開始地点と指定カーソルの指定する地点とルート情報の座標を算出するステップ１９と、
前記表示制御手段によって、前記指示カーソルの指定する地点を中心とする地図を前記第１の表示領域に拡大あるいは縮小表示すると共に、前記ステップ１９において算出された表示開始地点と指定カーソルの指定する地点とルート情報の座標を前記第２の表示領域に表示し、前記変換比率に基づいて算出された前記第１の表示領域に対応する領域情報と前記ルート情報とを前記第２の表示領域に表示するステップ２０と、を有することを特徴とする請求項２３又は請求項２４に記載の地図表示方法。
【請求項２９】
前記第１の表示領域に表示する地図に施設情報が含まれる場合において、前記操作入力手段による地図の拡大・縮小動作が検出されると、前記変換比率算出手段によって、前記施設情報の表示領域、前記第１の表示領域、および第２の表示領域のサイズの比率と、前記表示開始地点と指定カーソルの指定する地点と施設情報との位置関係より、前記第２の表示領域における当該表示開始地点と指定カーソルの指定する地点と施設情報の座標への変換比率を算出するステップ２１と、
前記座標算出手段によって、前記ステップ２１において算出された変換比率に基づいて、前記第２の表示領域における当該表示開始地点と指定カーソルの指定する地点と施設情報の座標を算出するステップ２２と、
前記表示制御手段によって、前記指示カーソルの指定する地点を中心とする地図を前記第１の表示領域に拡大あるいは縮小表示すると共に、前記ステップ２２において算出された表示開始地点と指定カーソルの指定する地点と施設情報の座標を前記第２の表示領域に表示し、前記変換比率に基づいて算出された前記第１の表示領域に対応する領域情報と前記施設情報とを前記第２の表示領域に表示するステップ２３と、を有することを特徴とする請求項２３又は請求項２５に記載の地図表示方法。
【請求項３０】
前記第１の表示領域に表示する地図に経路案内情報と施設情報が含まれる場合において、前記操作入力手段による地図の拡大・縮小動作が検出されると、前記変換比率算出手段によって、前記経路案内情報に含まれる出発地点と到着地点とを含むルート情報の表示領域、前記施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報および施設情報の座標への変換比率を算出するステップ２４と、
前記座標算出手段によって、前記ステップ２４において算出された変換比率に基づいて、前記第２の表示領域における当該表示開始地点と指定カーソルの指定する地点とルート情報と施設情報の座標を算出するステップ２５と、
前記表示制御手段によって、前記指示カーソルの指定する地点を中心とする地図を前記第１の表示領域に拡大あるいは縮小表示すると共に、前記ステップ２５において算出された表示開始地点と指定カーソルの指定する地点とルート情報と施設情報の座標を前記第２の表示領域に表示し、前記変換比率に基づいて算出された前記第１の表示領域に対応する領域情報と前記ルート情報と前記施設情報とを前記第２の表示領域に表示するステップ２６と、を有することを特徴とする請求項２３又は請求項２６に記載の地図表示方法。
【請求項３１】
前記第１の表示領域に表示する地図に経路案内情報が含まれる場合には、前記第２の表示領域に当該経路案内情報に対応する記号を表示することを特徴とする請求項２４、請求項２６、請求項２８、請求項３０の何れか１項に記載の地図表示方法。
【請求項３２】
前記第１の表示領域に表示する地図に施設情報が含まれる場合には、前記第２の表示領域に当該施設情報に対応する記号を表示することを特徴とする請求項２５、請求項２６、請求項２９、請求項３０の何れか１項に記載の地図表示方法。
【請求項３３】
前記表示手段に第１の表示領域と第２の表示領域を表示させる際に、前記第２の表示領域を前記第１の表示領域よりも小さい大きさで当該第１の表示領域に重畳するように単色かつ透過的に表示することを特徴とすることを特徴とする請求項２３乃至請求項３２の何れか１項に記載の地図表示方法。
【発明の詳細な説明】
【技術分野】
【０００１】
本発明は、地図データベースに蓄積された地図情報に基づいて移動するユーザに対して所定の地図表示を行う地図表示システムに関するものであり、特に、携帯電話などの携帯端末装置を用いて地図表示を行う際に、地図情報をより容易に視認可能にした地図表示システム、携帯端末装置及び地図表示方法に関するものである。
【背景技術】
【０００２】
近年、ユーザによって入力された所望の施設名やその住所などの検索条件や携帯端末装置に具備されているＧＰＳ受信機能がＧＰＳ信号から取得した現在位置に従って地図検索を行い、地図検索によって求められた地図情報を検索地点や現在位置とともに携帯端末装置の表示画面に表示したりする地図表示サービスが知られている。
【０００３】
そして、地図表示画面において現在位置や検索した地点を中心として所定範囲の地図が表示されている場合に、ユーザが表示中心点以外の周辺の情報を知りたい場合には、操作キーなどの操作入力手段を用いて表示画面のスクロール操作などを行うことにより周辺施設や道路状況などを確認している。
【０００４】
この周辺施設などの確認では、現在位置や表示開始地点の情報を閲覧しながら周囲の情報を確認することが望まれているため、表示画面を分割したりサブウィンドウを表示させたりして、広域の地図を表示する技術が様々に提案されている。
【０００５】
例えば、メインウィンドウに表示されている地図が、広域地図中のどの辺りにあるのか一目で把握できる技術が、下記の特許文献１（特開平７−２７０１７２号公報）に「ナビゲーション装置における地図表示装置」として開示されている。この特許文献１には、表示画面に１種類の地図を表示するメインウィンドウに、メインウィンドウに表示されている地図を含む周辺の縮小地図を表示画面のサブウィンドウに同時表示し、サブウィンドウに表示された縮小地図中にメインウィンドウに表示されている地図に相当する領域を示す枠を表示することが開示されている。
【０００６】
また、詳細地図の表示領域を十分に確保した上で、詳細地図と広域地図とを併せて表示するための技術が、例えば、下記の特許文献２（特開２００４−２３３２１９号公報）に「車載用ナビゲーション装置および地図画像表示方法」として開示されている。この特許文献２には、スクロール指示を受け付けると、第１の地図（メイン画面）に表示された領域よりも広域を含む第２の地図（参照ウィンドウ）を表示画面に表示させることが開示されている。
【０００７】
さらに、主情報として車両の現在位置周辺の地図が表示されなくなるような場合でも、この現在位置周辺地図が常に表示されるようにする技術が、例えば、下記の特許文献３（特開２００４−３１７２８９号公報）に「ナビゲーション装置」として開示されている。この特許文献３には、ユーザの指示に基づいて、主情報を画面に表示させ、主情報に現在位置周辺地図が含まれない場合には、画面の第１の領域と第２の領域を設けて、一方に主情報を表示させ、他方に現在位置周辺情報を表示させることが開示されている。
【０００８】
【特許文献１】特開平７−２７０１７２号公報（図１、段落［００２４］〜段落［００２７］）
【特許文献２】特開２００４−２３３２１９号公報（図２、図６、段落［００２１］〜段落［００３３］）
【特許文献３】特開２００４−３１７２８９号公報（図２、段落［００２９］〜段落［００３４］）
【発明の開示】
【発明が解決しようとする課題】
【０００９】
しかしながら、例えば携帯端末のような表示領域の限られた表示画面上において複数の領域を設けて地図を表示しようとすると、見難くなるばかりではなく、ユーザの所望する情報を正確に伝えることができなくなるという問題点があった。また、携帯端末において複雑な表示処理を行うことは、処理負担が大きくなってしまうため円滑な表示動作が行えなくなるという問題点があった。
【００１０】
本願の発明者は、上記の問題点を解消すべく種々検討を重ねた結果、第１の表示画面に表示された地図の表示開始地点と現在指示カーソルが指定する地点との相対位置や、各地点の周辺にあるＰＯＩを示す記号を第２の表示画面に視認し易い態様で表示することにより、上記問題点を解消し得ることを想到して本発明を完成するに至ったものである。
【００１１】
すなわち、本発明は上記の問題点を解消することを課題とし、複数の表示画面を表示させた場合でも、ユーザが所望する地図情報を見易い態様で表示することができるようにした地図表示システム、携帯端末装置及び地図表示方法を提供することを目的とするものである。
【課題を解決するための手段】
【００１２】
前記課題を解決するために、本願の請求項１に係る発明は、
地図配信サーバと携帯端末装置とを備え、地図配信サーバは地図データベースに蓄積された地図情報を携帯端末装置に送り、携帯端末装置が受信した地図情報に基づいてユーザに対して所定の地図表示を行う地図表示システムであって、
前記携帯端末装置は、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記操作入力手段によるスクロール動作が検出されると、前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする。
【００１３】
本願の請求項２に係る発明は、請求項１に係る地図表示システムにおいて、
前記変換比率算出手段は、前記第１の表示領域に表示する地図に経路案内情報が含まれる場合には、当該経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係により、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする。
【００１４】
本願の請求項３に係る発明は、請求項１に係る地図表示システムにおいて、
前記変換比率算出手段は、前記第１の表示領域に表示する地図に施設情報が含まれる場合には、当該施設情報の表示領域、前記第１の表示領域、および第２の表示領域のサイズの比率と、前記表示開始地点と指定カーソルの指定する地点と施設情報との位置関係により、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする。
【００１５】
本願の請求項４に係る発明は、請求項１に係る地図表示システムにおいて、
前記変換比率算出手段は、前記第１の表示領域に表示する地図に経路案内情報と施設情報が含まれる場合には、当該経路案内情報に含まれる出発地点と到着地点とを含むルート情報の表示領域、当該施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報、および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする。
【００１６】
本願の請求項５に係る発明は、請求項１に係る地図表示システムにおいて、
前記操作入力手段による地図の拡大・縮小動作が検出されると、前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする。
【００１７】
本願の請求項６に係る発明は、請求項１又は請求項２に係る地図表示システムにおいて、
前記第１の表示領域に表示する地図に経路案内情報が含まれる場合において、前記操作入力手段による地図の拡大・縮小動作が検出されると、前記変換比率算出手段は、前記経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係より、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする。
【００１８】
本願の請求項７に係る発明は、請求項１又は請求項３に係る地図表示システムにおいて、
前記第１の表示領域に表示する地図に施設情報が含まれる場合において、前記操作入力手段による地図の拡大・縮小動作が検出されると、前記変換比率算出手段は、前記施設情報の表示領域、前記第１の表示領域、および第２の表示領域のサイズの比率と、前記表示開始地点と指定カーソルの指定する地点と施設情報との位置関係より、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする。
【００１９】
本願の請求項８に係る発明は、請求項１又は請求項４に係る地図表示システムにおいて、
前記第１の表示領域に表示する地図に経路案内情報と施設情報が含まれる場合において、前記操作入力手段による地図の拡大・縮小動作が検出されると、前記変換比率算出手段は、前記経路案内情報に含まれる出発地点と到着地点とを含むルート情報の表示領域、前記施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする。
【００２０】
本願の請求項９に係る発明は、請求項２、請求項４、請求項６、請求項８の何れか１項に係る地図表示システムにおいて、前記表示制御手段は、前記第１の表示領域に表示する地図に経路案内情報が含まれる場合には、前記第２の表示領域に当該経路案内情報に対応する記号を表示することを特徴とする。
【００２１】
本願の請求項１０に係る発明は、請求項３、請求項４、請求項７、請求項８の何れか１項に係る地図表示システムにおいて、前記表示制御手段は、前記第１の表示領域に表示する地図に施設情報が含まれる場合には、前記第２の表示領域に当該施設情報に対応する記号を表示することを特徴とする。
【００２２】
本願の請求項１１に係る発明は、請求項１乃至請求項１０の何れか１項に係る地図表示システムにおいて、前記表示制御手段は、前記第２の表示領域を前記第１の表示領域よりも小さい大きさで当該第１の表示領域に重畳するように単色かつ透過的に表示することを特徴とする。
【００２３】
また、本願の請求項１２に係る発明は、
地図配信サーバから地図データベースに蓄積された地図情報を受信し、受信した地図情報に基づいてユーザに対して所定の地図表示を行う携帯端末装置であって、
現在位置を取得する位置取得手段と、
前記地図配信サーバから受信した地図情報に基づいて地図を表示することが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段は、前記位置取得手段が取得した現在位置または前記操作入力手段から受け付けた地点情報を表示開始地点として、前記第１の表示領域に当該表示開始地点を中心に地図を表示させ、
前記操作入力手段によるスクロール動作が検出されると、前記座標算出手段は、前記指示カーソルの指定する地点の緯度・経度情報と前記第１の表示領域に表示される地図の地図情報とに基づいて、前記表示開始地点に対する指定カーソルの指定する地点の座標を算出し、
前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする。
【００２４】
本願の請求項１３に係る発明は、請求項１２に係る携帯端末装置において、
前記変換比率算出手段は、前記第１の表示領域に表示する地図に経路案内情報が含まれる場合には、当該経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係により、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする。
【００２５】
本願の請求項１４に係る発明は、請求項１２に係る携帯端末装置において、
前記変換比率算出手段は、前記第１の表示領域に表示する地図に施設情報が含まれる場合には、
当該施設情報の表示領域、前記第１の表示領域、および第２の表示領域のサイズの比率と、前記表示開始地点と指定カーソルの指定する地点と施設情報との位置関係により、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする。
【００２６】
本願の請求項１５に係る発明は、請求項１２に係る携帯端末装置において、
前記変換比率算出手段は、前記第１の表示領域に表示する地図に経路案内情報と施設情報が含まれる場合には、当該経路案内情報に含まれる出発地点と到着地点とを含むルート情報の表示領域、当該施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報、および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする。
【００２７】
本願の請求項１６に係る発明は、請求項１２に係る携帯端末装置において、
前記操作入力手段による地図の拡大・縮小動作が検出されると、前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出し、
前記座標算出手段は、算出された変換比率に基づいて、前記第２の表示領域における当該表示開始地点と指定カーソルの指定する地点の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させることを特徴とする。
【００２８】
本願の請求項１７に係る発明は、請求項１２又は請求項１３に係る携帯端末装置において、
前記第１の表示領域に表示する地図に経路案内情報が含まれる場合において、前記操作入力手段による地図の拡大・縮小動作が検出されると、前記変換比率算出手段は、前記経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係より、前記第２の表示領域における当該表示開始地点と指定カーソルの指定する地点とルート情報の座標への変換比率を算出し、
前記座標算出手段は、算出された変換比率に基づいて、前記第２の表示領域における当該表示開始地点と指定カーソルの指定する地点とルート情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報の座標を前記第２の表示領域に表示させ、前記変換比率に基づいて算出された前記第１の表示領域に対応する領域情報と前記ルート情報とを前記第２の表示領域に表示させることを特徴とする。
【００２９】
本願の請求項１８に係る発明は、請求項１２又は請求項１４に係る携帯端末装置において、
前記第１の表示領域に表示する地図に施設情報が含まれる場合において、前記操作入力手段による地図の拡大・縮小動作が検出されると、前記変換比率算出手段は、前記施設情報の表示領域、前記第１の表示領域、および第２の表示領域のサイズの比率と、前記表示開始地点と指定カーソルの指定する地点と施設情報との位置関係より、前記第２の表示領域における当該表示開始地点と指定カーソルの指定する地点と施設情報の座標への変換比率を算出し、
前記座標算出手段は、算出された変換比率に基づいて、前記第２の表示領域における当該表示開始地点と指定カーソルの指定する地点と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点と施設情報の座標を前記第２の表示領域に表示させ、前記変換比率に基づいて算出された前記第１の表示領域に対応する領域情報と前記施設情報とを前記第２の表示領域に表示させることを特徴とする。
【００３０】
本願の請求項１９に係る発明は、請求項１２又は請求項１５に係る携帯端末装置において、
前記第１の表示領域に表示する地図に経路案内情報と施設情報が含まれる場合において、前記操作入力手段による地図の拡大・縮小動作が検出されると、前記変換比率算出手段は、前記経路案内情報に含まれる出発地点と到着地点とを含むルート情報の表示領域、前記施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報および施設情報の座標への変換比率を算出し、
前記座標算出手段は、算出された変換比率に基づいて、前記第２の表示領域における当該表示開始地点と指定カーソルの指定する地点とルート情報と施設情報の座標を算出し、
前記表示制御手段は、前記指示カーソルの指定する地点を中心とする地図を前記第１の表示領域に拡大あるいは縮小表示させると共に、算出された表示開始地点と指定カーソルの指定する地点とルート情報と施設情報の座標を前記第２の表示領域に表示させ、前記変換比率に基づいて算出された前記第１の表示領域に対応する領域情報と前記ルート情報と前記施設情報とを前記第２の表示領域に表示させることを特徴とする。
【００３１】
本願の請求項２０に係る発明は、請求項１３、請求項１５、請求項１７、請求項１９の何れか１項に係る携帯端末装置において、前記表示制御手段は、前記第１の表示領域に表示する地図に経路案内情報が含まれる場合には、前記第２の表示領域に当該経路案内情報に対応する記号を表示することを特徴とする。
【００３２】
本願の請求項２１に係る発明は、請求項１４、請求項１５、請求項１８、請求項１９の何れか１項に係る携帯端末装置において、前記表示制御手段は、前記第１の表示領域に表示する地図に施設情報が含まれる場合には、前記第２の表示領域に当該施設情報に対応する記号を表示することを特徴とする。
【００３３】
本願の請求項２２に係る発明は、請求項１２乃至請求項２１の何れか１項に係る携帯端末装置において、前記表示制御手段は、前記第２の表示領域を前記第１の表示領域よりも小さい大きさで当該第１の表示領域に重畳するように単色かつ透過的に表示することを特徴とする。
【００３４】
さらに、本願の請求項２３に係る発明は、
地図配信サーバから地図データベースに蓄積された地図情報を受信し、受信した地図情報に基づいてユーザに対して所定の地図表示を行う携帯端末装置における地図表示方法であって、
現在位置を取得する位置取得手段と、
前記地図配信サーバから受信した地図情報に基づいて地図を表示するが可能な表示手段と、
前記表示手段に表示させる地図の地点情報や前記表示手段に表示されている指示カーソルの操作入力を受け付ける操作入力手段と、
前記表示手段に第１の表示領域と第２の表示領域を表示させる表示制御手段と、
前記第１の表示領域に表示される地図の地図情報に基づいて、前記第１の表示領域における所定の表示座標を前記第２の表示領域において対応する位置の座標に変換するための変換比率を算出する変換比率算出手段と、
前記指示カーソルの指定する地点の緯度・経度情報から座標を算出すると共に、前記変換比率に基づいて第１の表示領域における座標から第２の表示領域の座標を算出する座標算出手段と、
を備え、
前記表示制御手段によって、前記位置取得手段が取得した現在位置または前記操作入力手段から受け付けた地点情報を表示開始地点として、前記第１の表示領域に当該表示開始地点を中心に地図を表示させる第１のステップと、
前記操作入力手段によるスクロール動作が検出されると、前記座標算出手段によって、前記指示カーソルの指定する地点の緯度・経度情報と前記第１の表示領域に表示される地図の地図情報とに基づいて、前記表示開始地点に対する指定カーソルの指定する地点の座標を算出する第２ステップと、
前記変換比率算出手段によって、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出する第３のステップと、
前記座標算出手段によって、前記第３のステップにおいて算出された変換比率に基づいて、前記第２の表示領域における当該表示開始地点と指定カーソルの指定する地点の座標を算出する第４のステップと、
前記表示制御手段によって、前記指示カーソルの指定する地点を中心とする地図を前記第１の表示領域に表示すると共に、前記第４のステップにおいて算出された表示開始地点と指定カーソルの指定する地点の座標を前記第２の表示領域に表示し、前記変換比率に基づいて算出された前記第１の表示領域に対応する領域情報を前記第２の表示領域に表示する第５のステップと、
を有することを特徴とする。
【００３５】
本願の請求項２４に係る発明は、請求項２３に係る地図表示方法において、
前記第１の表示領域に表示する地図に経路案内情報が含まれる場合には、前記変換比率算出手段によって、当該経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係により、前記第２の表示領域における当該表示開始地点と指定カーソルの指定する地点とルート情報の座標への変換比率を算出する第６のステップと、
前記座標算出手段によって、前記第６のステップにおいて算出された変換比率に基づいて、前記第２の表示領域における当該表示開始地点と指定カーソルの指定する地点とルート情報の座標を算出する第７のステップと、
前記表示制御手段によって、前記指示カーソルの指定する地点を中心とする地図を前記第１の表示領域に表示すると共に、前記第７のステップにおいて算出された表示開始地点と指定カーソルの指定する地点とルート情報の座標を前記第２の表示領域に表示し、前記変換比率に基づいて算出された前記第１の表示領域に対応する領域情報と前記ルート情報とを前記第２の表示領域に表示する第８のステップと、を有することを特徴とする。
【００３６】
本願の請求項２５に係る発明は、請求項２３に係る地図表示方法において、
前記第１の表示領域に表示する地図に施設情報が含まれる場合には、前記変換比率算出手段によって、当該施設情報の表示領域、前記第１の表示領域、および第２の表示領域のサイズの比率と、前記表示開始地点と指定カーソルの指定する地点と施設情報との位置関係により、前記第２の表示領域における当該表示開始地点と指定カーソルの指定する地点と施設情報の座標への変換比率を算出する第９のステップと、
前記座標算出手段は、前記第９のステップにおいて算出された変換比率に基づいて、前記第２の表示領域における当該表示開始地点と指定カーソルの指定する地点と施設情報の座標を算出する第１０のステップと、
前記表示制御手段は、前記指示カーソルの指定する地点を中心とする地図を前記第１の表示領域に表示すると共に、前記第１０のステップにおいて算出された表示開始地点と指定カーソルの指定する地点と施設情報の座標を前記第２の表示領域に表示し、前記変換比率に基づいて算出された前記第１の表示領域に対応する領域情報と前記施設情報とを前記第２の表示領域に表示する第１１のステップと、を有することを特徴とする。
【００３７】
本願の請求項２６に係る発明は、請求項２３に係る地図表示方法において、
前記第１の表示領域に表示する地図に経路案内情報と施設情報が含まれる場合には、前記変換比率算出手段によって、当該経路案内情報に含まれる出発地点と到着地点とを含むルート情報の表示領域、当該施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報、および施設情報の座標への変換比率を算出するステップ１２と、
前記座標算出手段によって、前記ステップ１２において算出された変換比率に基づいて、前記第２の表示領域における当該表示開始地点と指定カーソルの指定する地点とルート情報と施設情報の座標を算出するステップ１３と、
前記表示制御手段によって、前記指示カーソルの指定する地点を中心とする地図を前記第１の表示領域に表示すると共に、前記ステップ１３において算出された表示開始地点と指定カーソルの指定する地点とルート情報と施設情報の座標を前記第２の表示領域に表示し、前記変換比率に基づいて算出された前記第１の表示領域に対応する領域情報と前記ルート情報と前記施設情報とを前記第２の表示領域に表示する第１４のステップと、を有することを特徴とする
【００３８】
本願の請求項２７に係る発明は、請求項２３に係る地図表示方法において、
前記操作入力手段による地図の拡大・縮小動作が検出されると、前記変換比率算出手段によって、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出する第１５のステップと、
前記座標算出手段によって、前記第１５のステップにおいて算出された変換比率に基づいて、前記第２の表示領域における当該表示開始地点と指定カーソルの指定する地点の座標を算出する第１６のステップと、
前記表示制御手段によって、前記指示カーソルの指定する地点を中心とする地図を前記第１の表示領域に拡大あるいは縮小表示すると共に、前記第１６のステップにおいて算出された表示開始地点と指定カーソルの指定する地点の座標を前記第２の表示領域に表示し、前記変換比率に基づいて算出された前記第１の表示領域に対応する領域情報を前記第２の表示領域に表示する第１７のステップと、を有することを特徴とする。
【００３９】
本願の請求項２８に係る発明は、請求項２３又は請求項２４に係る地図表示方法において、
前記第１の表示領域に表示する地図に経路案内情報が含まれる場合において、前記操作入力手段による地図の拡大・縮小動作が検出されると、前記変換比率算出手段によって、前記経路案内情報に含まれる出発地点と到着地点とを含むルート情報の表示領域、前記第１の表示領域、および第２の表示領域のサイズの比率と、前記表示開始地点と指定カーソルの指定する地点とルート情報との位置関係より、前記第２の表示領域における当該表示開始地点と指定カーソルの指定する地点とルート情報の座標への変換比率を算出するステップ１８と、
前記座標算出手段によって、前記ステップ１８において算出された変換比率に基づいて、前記第２の表示領域における当該表示開始地点と指定カーソルの指定する地点とルート情報の座標を算出するステップ１９と、
前記表示制御手段によって、前記指示カーソルの指定する地点を中心とする地図を前記第１の表示領域に拡大あるいは縮小表示すると共に、前記ステップ１９において算出された表示開始地点と指定カーソルの指定する地点とルート情報の座標を前記第２の表示領域に表示し、前記変換比率に基づいて算出された前記第１の表示領域に対応する領域情報と前記ルート情報とを前記第２の表示領域に表示するステップ２０と、を有することを特徴とする。
【００４０】
本願の請求項２９に係る発明は、請求項２３又は請求項２５に係る地図表示方法において、
前記第１の表示領域に表示する地図に施設情報が含まれる場合において、前記操作入力手段による地図の拡大・縮小動作が検出されると、前記変換比率算出手段によって、前記施設情報の表示領域、前記第１の表示領域、および第２の表示領域のサイズの比率と、前記表示開始地点と指定カーソルの指定する地点と施設情報との位置関係より、前記第２の表示領域における当該表示開始地点と指定カーソルの指定する地点と施設情報の座標への変換比率を算出するステップ２１と、
前記座標算出手段によって、前記ステップ２１において算出された変換比率に基づいて、前記第２の表示領域における当該表示開始地点と指定カーソルの指定する地点と施設情報の座標を算出するステップ２２と、
前記表示制御手段によって、前記指示カーソルの指定する地点を中心とする地図を前記第１の表示領域に拡大あるいは縮小表示すると共に、前記ステップ２２において算出された表示開始地点と指定カーソルの指定する地点と施設情報の座標を前記第２の表示領域に表示し、前記変換比率に基づいて算出された前記第１の表示領域に対応する領域情報と前記施設情報とを前記第２の表示領域に表示するステップ２３と、を有することを特徴とする。
【００４１】
本願の請求項３０に係る発明は、請求項２３又は請求項２６に係る地図表示方法において、
前記第１の表示領域に表示する地図に経路案内情報と施設情報が含まれる場合において、前記操作入力手段による地図の拡大・縮小動作が検出されると、前記変換比率算出手段によって、前記経路案内情報に含まれる出発地点と到着地点とを含むルート情報の表示領域、前記施設情報の表示領域、前記第１の表示領域、および第２の表示領域のサイズの比率と、前記表示開始地点と指定カーソルの指定する地点とルート情報と施設情報との位置関係により、前記第２の表示領域における当該表示開始地点、指定カーソルの指定する地点、ルート情報および施設情報の座標への変換比率を算出するステップ２４と、
前記座標算出手段によって、前記ステップ２４において算出された変換比率に基づいて、前記第２の表示領域における当該表示開始地点と指定カーソルの指定する地点とルート情報と施設情報の座標を算出するステップ２５と、
前記表示制御手段によって、前記指示カーソルの指定する地点を中心とする地図を前記第１の表示領域に拡大あるいは縮小表示すると共に、前記ステップ２５において算出された表示開始地点と指定カーソルの指定する地点とルート情報と施設情報の座標を前記第２の表示領域に表示し、前記変換比率に基づいて算出された前記第１の表示領域に対応する領域情報と前記ルート情報と前記施設情報とを前記第２の表示領域に表示するステップ２６と、を有することを特徴とする。
【００４２】
本願の請求項３１に係る発明は、請求項２４、請求項２６、請求項２８、請求項３０の何れか１項に係る地図表示方法において、前記第１の表示領域に表示する地図に経路案内情報が含まれる場合には、前記第２の表示領域に当該経路案内情報に対応する記号を表示することを特徴とする。
【００４３】
本願の請求項３２に係る発明は、請求項２５、請求項２６、請求項２９、請求項３０の何れか１項に係る地図表示方法において、前記第１の表示領域に表示する地図に施設情報が含まれる場合には、前記第２の表示領域に当該施設情報に対応する記号を表示することを特徴とする。
【００４４】
本願の請求項３３に係る発明は、請求項２３乃至請求項３２の何れか１項に係る地図表示方法において、前記表示手段に第１の表示領域と第２の表示領域を表示させる際に、前記第２の表示領域を前記第１の表示領域よりも小さい大きさで当該第１の表示領域に重畳するように単色かつ透過的に表示することを特徴とする。
【発明の効果】
【００４５】
請求項１に係る発明においては、位置取得手段が取得した現在位置または操作入力手段から受け付けた地点情報を表示開始地点として、表示制御手段が表示手段の第１の表示領域に当該表示開始地点を中心に地図を表示させ、前記操作入力手段によるスクロール動作が検出されると、座標算出手段は、指示カーソルの指定する地点の緯度・経度情報と前記第１の表示領域に表示される地図の地図情報とに基づいて、前記表示開始地点に対する指定カーソルの指定する地点の座標を算出し、変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出するように構成した。
【００４６】
そして、前記座標算出手段は、算出された変換比率に基づいて、前記第２の表示領域における当該表示開始地点と指定カーソルの指定する地点の座標を算出し、前記表示制御手段は、前記指示カーソルの指定する地点を中心とする地図を前記第１の表示領域に表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させるように構成した。
【００４７】
このような構成によれば、第１の表示領域の地図をスクロールさせると、第２の表示領域に地図の表示開始地点と現在指示カーソルが指定する地点との相対位置が表示されることになるので、ユーザはその表示画面から現在地図スクロールを行っている位置や方向をイメージで把握することが可能となる。
【００４８】
請求項２乃至請求項４に係る発明においては、請求項１に係る地図表示システムにおいて、前記第１の表示領域に表示する地図に経路案内情報や施設情報が含まれる場合には、当該経路案内情報に含まれる出発地点と到着地点とを含むルート情報の表示領域、当該施設情報の表示領域、前記第１の表示領域、第２の表示領域のサイズの比率と、前記表示開始地点と指定カーソルの指定する地点と、ルート情報や施設情報との位置関係により、前記第２の表示領域における当該表示開始地点、指定カーソルの指定する地点、ルート情報あるいは施設情報の座標への変換比率を算出するように構成した。
【００４９】
そして、前記座標算出手段は、算出された変換比率に基づいて、前記第２の表示領域における当該表示開始地点と指定カーソルの指定する地点とルート情報や施設情報の座標を算出し、前記表示制御手段は、前記指示カーソルの指定する地点を中心とする地図を前記第１の表示領域に表示させると共に、算出された表示開始地点と指定カーソルの指定する地点とルート情報や施設情報の座標を前記第２の表示領域に表示させ、前記変換比率に基づいて算出された前記第１の表示領域に対応する領域情報と前記ルート情報や前記施設情報を前記第２の表示領域に表示させるように構成した。
【００５０】
このような構成によれば、第１の表示領域の地図をスクロールさせると、第２の表示領域に地図の表示開始地点と現在指示カーソルが指定する地点との相対位置に加えて、経路案内情報に含まれる出発地点と到着地点とを含むルート情報やそれぞれの地点の周辺にある施設情報が表示されることになるので、ユーザはその表示画面から現在地図スクロールを行っている位置や方向の他に、ルート情報や施設情報を把握することが可能となる。
【００５１】
請求項５に係る発明においては、請求項１に係る地図表示システムにおいて、前記変換比率算出手段は、前記第１の表示領域と第２の表示領域のサイズの比率と、前記表示開始地点と指定カーソルの指定する地点との位置関係により、前記第２の表示領域における当該表示開始地点と指定カーソルの指定する地点の座標への変換比率を算出するように構成した。
【００５２】
そして、前記座標算出手段は、算出された変換比率に基づいて、前記第２の表示領域における当該表示開始地点と指定カーソルの指定する地点の座標を算出し、前記表示制御手段は、前記指示カーソルの指定する地点を中心とする地図を前記第１の表示領域に拡大あるいは縮小表示させると共に、算出された表示開始地点と指定カーソルの指定する地点の座標を前記第２の表示領域に表示させ、前記変換比率に基づいて算出された前記第１の表示領域に対応する領域情報を前記第２の表示領域に表示させるように構成した。
【００５３】
このような構成によれば、第１の表示領域の地図を拡大表示あるいは縮小表示させると、第２の表示領域に地図の表示開始地点と現在指示カーソルが指定する地点との相対位置が表示されることになるので、ユーザはその表示画面から現在拡大・縮小されている地図の位置や方向をイメージで把握することが可能となる。
【００５４】
請求項６乃至請求項８に係る発明においては、請求項１乃至請求項４の何れか１項に係る地図表示システムにおいて、前記第１の表示領域に表示する地図に経路案内情報や施設情報が含まれる場合には、当該経路案内情報に含まれる出発地点と到着地点とを含むルート情報の表示領域、当該施設情報の表示領域、前記第１の表示領域、第２の表示領域のサイズの比率と、前記表示開始地点と指定カーソルの指定する地点と、ルート情報や施設情報との位置関係により、前記第２の表示領域における当該表示開始地点、指定カーソルの指定する地点、ルート情報あるいは施設情報の座標への変換比率を算出するように構成した。
【００５５】
そして、前記座標算出手段は、算出された変換比率に基づいて、前記第２の表示領域における当該表示開始地点と指定カーソルの指定する地点とルート情報や施設情報の座標を算出し、前記表示制御手段は、前記指示カーソルの指定する地点を中心とする地図を前記第１の表示領域に拡大あるいは縮小表示させると共に、算出された表示開始地点と指定カーソルの指定する地点とルート情報や施設情報の座標を前記第２の表示領域に表示させ、前記変換比率に基づいて算出された前記第１の表示領域に対応する領域情報と前記ルート情報や前記施設情報を前記第２の表示領域に表示させるように構成した。
【００５６】
このような構成によれば、第１の表示領域の地図を拡大表示あるいは縮小表示させると、第２の表示領域に地図の表示開始地点と現在指示カーソルが指定する地点との相対位置に加えて、経路案内情報に含まれる出発地点と到着地点とを含むルート情報やそれぞれの地点の周辺にある施設情報が表示されることになるので、ユーザはその表示画面から現在地図スクロールを行っている位置や方向の他に、ルート情報や施設情報を把握することが可能となる。
【００５７】
請求項９に係る発明においては、請求項２、請求項４、請求項６、請求項８の何れか１項に係る地図表示システムにおいて、前記表示制御手段は、前記第１の表示領域に表示する地図に経路案内情報が含まれる場合には、前記第２の表示領域に当該経路案内情報に対応する記号を表示するように構成した。
【００５８】
このような構成によれば、第１の表示領域の地図をスクロールさせると、第２の表示領域に地図の表示開始地点と現在指示カーソルが指定する地点との相対位置に加えて、経路案内情報に対応する記号が第２の表示画面に表示されることになるので、ユーザはその表示画面から現在地図スクロールを行っている位置や方向の他に、経路案内をイメージで把握することが可能となる。
【００５９】
請求項１０に係る発明においては、請求項３、請求項４、請求項７、請求項８の何れか１項に係る地図表示システムにおいて、前記表示制御手段は、前記第１の表示領域に表示する地図に施設情報が含まれる場合には、前記第２の表示領域に当該施設情報に対応する記号を表示するように構成した。
【００６０】
このような構成によれば、第１の表示領域の地図をスクロールさせると、第２の表示領域に地図の表示開始地点と現在指示カーソルが指定する地点との相対位置に加えて、それぞれの地点の周辺にある施設情報を示す記号が第２の表示画面に表示されることになるので、ユーザはその表示画面から現在地図スクロールを行っている位置や方向の他に、施設情報の分布などをイメージで把握することが可能となる。
【００６１】
請求項１１に係る発明においては、請求項１乃至請求項１０の何れか１項に係る地図表示システムにおいて、前記表示制御手段は、前記第２の表示領域を前記第１の表示領域よりも小さい大きさで当該第１の表示領域に重畳するように単色かつ透過的に表示するように構成した。
【００６２】
このような構成によれば、第１の表示領域の地図をスクロールさせると、第２の表示領域に地図の表示開始地点と現在指示カーソルが指定する地点との相対位置、ルート情報や施設情報などが単色かつ透過的に表示されることになるので、ユーザはその表示画面から現在地図スクロールを行っている位置や方向やその他の情報をイメージで把握することが可能であると共に、第１の表示領域に表示された地図を正確に視認することが可能となる。
【００６３】
また、請求項１２乃至請求項２２に係る発明においては、それぞれ請求項１乃至請求項１１に係る地図表示システムを構成する携帯端末装置を提供することができ、請求項２３乃至請求項３３に係る発明においては、それぞれ請求項１乃至請求項１１に係る地図表示システムを実現するための地図表示方法を提供することができるようになる。
【発明を実施するための最良の形態】
【００６４】
以下、本発明の具体例を実施例及び図面を用いて詳細に説明する。但し、以下に示す実施例においては本発明の技術思想を具体化するためのナビゲーションシステム、地図表示方法及び携帯端末装置を例示するものであって、本発明をこのナビゲーションシステム、地図表示方法及び携帯端末装置に特定することを意図するものではなく、特許請求の範囲に含まれるその他の実施形態の地図表示システム、地図表示方法及び地図表示装置にも等しく適用し得るものである。
【実施例１】
【００６５】
図１は、本発明の実施例に係る携帯端末装置２０を含むナビゲーションシステム１０の構成を示すブロック図である。本発明の実施例に係る携帯端末装置２０は、携帯電話などを用いることができ、図１に示すように、ネットワーク１２を介して地図配信サーバ３０に接続され、通信型のナビゲーションシステム１０を構成している。
【００６６】
図１に示す地図配信サーバ３０は、地図データベース３１、経路探索用ネットワークデータベース３２を備え、携帯端末装置２０から地図検索要求があると、地図データベース３１を参照して現在位置などを含む所定場所の地図を配信する地図配信サービス機能と、携帯端末装置２０から経路探索要求があると、経路探索用ネットワークデータベース３２を参照して経路探索を行い、推奨経路とその案内情報を携帯端末装置２０に送信するナビゲーション機能を有している。
【００６７】
地図データベース３１は、所定の緯度範囲、経度範囲で区分されたメッシュ状の単位地図データから構成されているベクトル地図データを蓄積しており、このベクトル地図データは、広域図、中域図、詳細図、市街地図といった各階層の地図データに分かれている。また、この地図データには、種々のＰＯＩ情報として、例えば、レストラン、コンビニ、ガソリンスタンドなどを対象とする興味対象場所を示すアイコン画像などが、その所在位置と関連付けられて記憶されている。
【００６８】
地図配信サーバ３０は、携帯端末装置２０から要求された地図データを地図データベース３１から読み出して要求元の携帯端末装置２０に配信する。一般的には、携帯端末装置２０の現在位置を中心に、上下、左右、斜め方向のメッシュに相当する単位地図９枚分の地図データを配信する。
【００６９】
携帯端末装置２０は、地図配信サーバ３０から配信された地図データをダウンロードするが、地図配信サーバ３０は、地図データを読み出して要求元の携帯端末装置２０に配信する際に、この地図データに含まれるＰＯＩ情報も併せて地図データベース３１から読み出して配信する。このため、携帯端末装置２０によって地図データと同時にＰＯＩ情報としてアイコン画像の他、名称や住所、所在位置、電話番号、案内地図、営業時間、営業内容などの詳細な案内情報がダウンロードされることになる。
【００７０】
また、携帯端末装置２０において表示されている地図をスクロールさせて地図データが不足する場合、あるいは携帯端末装置２０が移動して地図データが不足する場合は、地図のスクロール方向や携帯端末装置２０の移動方向を判別して地図配信サーバ３０は不足分の単位地図データを配信する。
【００７１】
経路探索用ネットワークデータベース３２は、徒歩や自動車による移動経路を探索するための道路ネットワークデータと公共交通機関を利用した移動経路を探索するための交通ネットワークデータを蓄積したデータベースである。具体的には、道路ネットワークデータは、道路（経路）をその結節点、屈曲点の位置をノードとし、各ノードを結ぶ経路をリンクとし、ノードデータ、リンクデータ、全てのリンクのコスト情報（距離や所要時間）であるリンクコストデータから構成され、データベース化されたものである。交通ネットワークデータも駅をノードとし、駅と駅を結ぶリンクと、リンクとなる電車などの各交通機関の時刻表データ（発車時刻、到着時刻、所要時間）をリンクコストデータとして蓄積したものである。
【００７２】
携帯端末装置２０から出発地、目的地、時刻情報を含む経路探索条件を設定した経路探索要求があると、地図配信サーバ３０は経路探索用ネットワークデータベース３２を参照して出発地から目的地までの最適経路を含む推奨経路を探索する。このような経路探索の手法としてはラベル確定法あるいはダイクストラ法と言われる手法が用いられる。地図配信サーバ３０は探索した推奨経路の概要を携帯端末装置２０に送り、携帯端末装置２０から指定された推奨経路についての詳細データの配信要求があると、地図データベース３１を参照して指定された推奨経路を含む地図情報及びその案内情報からなる経路案内データを携帯端末装置２０に配信する。
【００７３】
経路案内データには、地図配信サーバ３０で探索された推奨経路上の出発地、経路の屈曲点、交差点、乗り換え駅、目的地などのガイダンスポイントが設定され、それらのガイダンスポイントの位置座標（緯度・経度）、各ガイダンスポイントに関連する案内情報（直進や右左折のガイダンス情報）が含まれる。
【００７４】
携帯端末装置２０は、地図配信サーバ３０から経路案内データを受信すると、ユーザの案内開始指示に従って所定の経路案内動作を開始し、経路探索サーバ３０から受信した地図及び推奨経路を表示し、ユーザの移動する位置情報に従ってガイダンスポイントに到着するタイミングで推奨経路に基づいた案内情報を表示または音声で出力する。
【００７５】
ここで、地図配信サーバ３０は、推奨経路を含む地図情報を携帯端末装置２０に配信する際に、携帯端末装置２０の現在位置に基づき、地図データベース３１に蓄積されている地図データを所定の単位毎に配信する。
【００７６】
携帯端末装置２０は、図１に示すように、制御手段２０１、送受信手段２０２、位置取得手段２０３、表示手段２０４、操作入力手段２０５、配信要求手段２０６、配信データ記憶手段２０７、座標算出手段２０８、変換比率算出手段２０９、表示制御手段２１０などを備えて構成されている。
【００７７】
なお、本発明の実施例に係る携帯端末装置２０は携帯電話である他に、ＰＤＡや音楽プレイヤーや携帯ゲーム機などの携帯機器、あるいは、携帯型パーソナルコンピュータ（ＰＣ）などの地図を表示する機能を有する地図表示装置であってもよい。
【００７８】
携帯端末装置２０において、制御手段２０１は、図示してはいないがＲＡＭ、ＲＯＭ、プロセッサを有するマイクロプロセッサであり、ＲＯＭに格納された制御プログラムにより各部の動作を制御する。送受信手段２０２は、ネットワーク１２を介して地図配信サーバ３０などと通信データを送受信するためのインターフェースである。
【００７９】
位置取得手段２０３は、ＧＰＳ衛星からの信号を受信して携帯端末装置２０の現在位置を緯度，経度で測位する衛星航法手段により位置情報を取得するものである。取得された位置情報（緯度，経度）は、地図配信サーバ３０に送信されて、地図データを検索する際や、地図データを表示するとともに現在位置を特定する際に利用することができる。
【００８０】
表示手段２０４は、液晶表示ユニットなどから構成され、地図配信サーバ３０から配信された地図などの表示を行う。本発明では、表示手段２０４の表示画面は、後述するように、表示手段２０４の表示可能領域の略全域に相当する大きさの第１の表示画面２０４ａと、この第１の表示画面内に重なるように表示される第２の表示画面２０４ｂと、で構成されている。
【００８１】
第１の表示画面２０４ａには、位置取得手段２０３が取得した現在位置または後述する操作入力手段２０５が入力を受け付けた所望の地点情報（住所や施設名など）の地点を中心に、地図、ＰＯＩのアイコン画像、経路探索結果に基づいた経路などが表示される。
【００８２】
第１の表示画面２０４ａに地図を表示する場合、位置取得手段２０３で取得した携帯端末装置２０の現在位置あるいは操作入力手段２０５から受け付けた所望の地点位置を含む一定の縮尺、一定の範囲の地図に、案内経路や携帯端末装置２０の現在位置または所望の地点位置を示す指示カーソルマークを重ね合わせて該指示カーソルマークが表示画面の中心になるように表示する。取得した位置情報には誤差が含まれるため、現在位置が案内経路からずれている場合には現在位置を案内経路上に補正するルートマッチング処理が行われる。
【００８３】
第２の表示画面２０４ｂには、後述するように、地図表示開始地点を示す記号（白丸印○）を表示画面の中心に表示し、第１の表示画面２０４ａに現在表示されている地図の矩形領域を意味する図枠記号（ＦＣ  ）とその領域の中心（すなわち、指示カーソルの指定する地点）を示す記号（＋）が表示される。
【００８４】
なお、第２の表示画面２０４ｂは、第１の表示画面２０４ａの上に重なるように表示されるため、第１の表示画面内に表示される地図が見難くならないように第１の表示画面２０４ａよりも小さい面積で表示され、また、単色半透明で表示されることが好ましい。
【００８５】
また、第２の表示画面２０４には、地図表示開始地点を中心として第１の表示画面２０４ａに最初に表示されていた地図の矩形領域を意味する図枠記号（ＦＯ  ）を表示させてもよい。このとき、この地図表示開始地点を中心に含む第１の表示画面２０４ａに最初に表示されていた地図の矩形領域を示す図枠記号（ＦＯ  ）と、指示カーソルの指定する地点を中心に含む第１の表示画面２０４ａに現在表示されている地図の矩形領域を示す図枠記号（ＦＣ  ）との表示態様を変える、例えば、各図枠記号内の濃淡に差異をつける、ことが好ましい。これにより、ユーザに各図枠記号が示す地図領域の位置関係を明確に伝えやすくすることができる。
【００８６】
また、表示手段２０４には携帯端末装置２０の操作のためのメニュー画面が表示され、プルダウンメニューなどの操作により経路探索条件などを選定することができる。したがって、表示手段２０４は操作入力手段２０５の一部としても機能する。
【００８７】
操作入力手段２０５は、数字キーやアルファベットキー、その他の機能キー、選択キー、スクロールキー（上下左右の矢印キー）などからなる操作、入力のためのものであり、出力手段である表示手段２０４に表示されるメニュー画面から所望のメニューを選択して所望の地点情報（住所や施設名など）の文字入力や経路探索条件の設定を行ったり、キーを操作して指示カーソルを移動させて地図をスクロールさせたりなど種々の入力操作を行うものである。
【００８８】
配信要求手段２０６は、スクロールによる指示カーソルの移動あるいは携帯端末装置２０自体が移動して表示手段２０４に表示するための地図データが不足する場合に、地図データの配信要求を地図配信サーバ３０に送受信手段２０２を介して送信する。また、操作入力手段２０５や表示手段２０４に表示されたメニュー画面の操作によって設定された経路探索条件に基づいて編集された配信要求も地図配信サーバ３０に送信される。
【００８９】
配信データ記憶手段２０７は、地図配信サーバ３０から配信された地図データや経路案内データなどを一時保存するメモリであり、この配信データ記憶手段２０７に記憶されたデータは必要に応じて読み出され、表示手段２０４に表示される。
【００９０】
座標算出手段２０８は、操作入力手段２０５によるスクロール動作が検出されると、第１の表示画面２０４ａにおいて指示カーソルの指定する地点の緯度・経度を取得し、この指示カーソルの指定する地点の緯度・経度情報と第１の表示画面２０４ａに表示されている地図の縮尺に基づいて、地図表示開始地点ＰＯ  に対する指示カーソルの指定する地点ＰＣ  の座標を算出する。
【００９１】
また、座標算出手段２０８は、後述するように、変換比率算出手段２０９によって算出された変換比率に基づいて、第１の表示画面２０４ａにおける表示開始地点ＰＯ  の座標と指示カーソルの指定する地点ＰＣ  の座標から第２の表示画面２０４ｂに表示される表示開始地点の座標と指示カーソルの指定する地点の座標を算出（変換）する。
【００９２】
また、座標算出手段２０８は、変換比率算出手段２０９によって算出された変換比率に基づいて、第１の表示画面２０４ａに表示されている地図の矩形領域の大きさから第２の表示画面２０４ｂに表示される図枠記号（ＦＣ  ）の大きさを算出（変換）する。
【００９３】
変換比率算出手段２０９は、座標算出手段２０８によって算出された第１の表示画面２０４ａにおける地図表示開始地点ＰＯ  の座標と、指示カーソルの指定する地点ＰＣ  の座標と、第１及び第２の表示画面枠の大きさと、に基づいて、少なくとも表示開始地点と第１の表示画面２０４ａに現在表示されている地図の矩形領域とを含む所定範囲が第２の表示画面２０４ｂ内に収まるような縮尺に変換するための変換比率を算出する。
【００９４】
ここで、変換比率算出手段２０９によって算出される変換比率は、第１の表示画面２０４ａにおける地図表示開始地点ＰＯ  と指示カーソルの指定する地点ＰＣ  との位置関係を地図表示開始地点が常に中心となるように第２の表示画面２０４ｂ上に反映させる際に、地図表示開始地点と指示カーソルの指定する地点とが所定距離以上離れるまでは、第１の表示画面２０４ａに現在表示されている地図の矩形領域を示す図枠記号ＦＣ  の全体が第２の表示画面２０４ｂ内に収まる予め設定された大きさに維持されるように定義されている。
【００９５】
そして、地図表示開始地点と指示カーソルの指定する地点とが所定距離となり、このとき第１の表示画面２０４ａに表示されている地図の矩形領域を示す図枠記号ＦＣ  の少なくとも一辺が第２の表示画面２０４ｂ端の少なくとも一辺に接すると、変換比率算出手段２０９によって算出される変換比率は、その後に地図表示開始地点と指示カーソルの指定する地点とが所定距離以上離れると、第１の表示画面２０４ａに現在表示されている地図の矩形領域（図枠記号ＦＣ  ）が、その領域（図枠）の少なくとも一辺が第２の表示画面２０４ｂ端の少なくとも一辺に接するように画面内に収まる縮尺で表示されるように、地図表示開始地点と指示カーソルの指定する地点との距離に応じて、定義されることが好ましい。
【００９６】
表示制御手段２１０は、操作入力手段２０５からユーザによる指示カーソルのスクロール動作を受け付けると、表示手段２０４の第１の表示画面２０４ａに表示されている地図をスクロールさせて指示カーソルの指定する地点が中心となるように地図を表示する制御を行うとともに、本発明では、地図表示開始地点を示す記号（白丸印○）や第１の表示画面２０４ａに現在表示されている地図の矩形領域を示す図枠記号（ＦＣ  ）などを含む第２の表示画面２０４ｂを表示する制御を行う。
【００９７】
表示制御手段２１０は、座標変換手段２０８が変換比率算出手段２０９によって算出された変換比率に基づいて、第１の表示画面２０４ａにおける表示開始地点ＰＯ  の座標と指示カーソルの指定する地点ＰＣ  の座標を変換した表示開始地点の座標と指示カーソルの指定する地点の座標を表示画面２０４ｂに表示するとともに、座標変換手段２０８がこの変換比率に基づいて、第１の表示画面２０４ａに表示されている地図の矩形領域の大きさを変換した大きさで、図枠記号（ＦＣ  ）を表示画面２０４ｂに表示する。
【００９８】
このとき、図枠記号は、現在の指示カーソルの指定する地点の座標を中心とする第１の表示画面２０４ａに現在表示されている地図の矩形領域を示す図枠記号（ＦＣ  ）だけを表示してもよいし、表示開始地点の座標を中心として第１の表示画面２０４ａに最初に表示されていた地図の矩形領域を示す図枠記号（ＦＯ  ）を同時に表示してもよい。また、表示開始地点の座標と現在の指示カーソルの指定する地点の座標とを結ぶ直線Ｌを表示するようにしてもよい。
【００９９】
また、表示制御手段２１０は、第２の表示画面２０４ｂの画面更新を第１の表示画面２０４ａの画面更新と同時に行う。地図をスクロールさせて指示カーソルの指定する地点が移動すると、指示カーソルが指示する移動先の地点を中心に第１の表示画面２０４ａが更新されると、第２の表示画面２０４ｂも更新表示される。
【０１００】
図３は、本発明の実施例に係る携帯端末装置としての携帯電話の外観を示す図である。携帯端末装置２０が携帯電話である場合、図３に示すように、液晶表示パネルなどからなる表示手段２０４、テンキー２０５ａやスクロールキー２０５ｂ、ズームアウトキー２０５ｃ、ズームインキー２０５ｄなどを有し、特定の数字キーなどにクリアキー、表示モード切り替えキーが割り当てられた操作入力手段２０５を備えている。地図配信サーバ３０から配信された地図データや案内経路データは配信データ記憶手段２０７に記憶され、必要に応じて配信データ記憶手段２０７から読み出され、表示手段２０４に表示される。
【０１０１】
図３に示すように、地図配信サーバ３０から地図データが配信されると、初期画面として、表示制御手段２１０の制御により表示手段２０４の第１の表示画面２０４ａには地図画像Ｍ１−１  と指示カーソルＣを表示する。地図画像Ｍ１−１  には道路や鉄道などの路線画像のほか、各種ＰＯＩのアイコン画像が含まれている。指示カーソルＣは初期表示位置（スクロール操作の開始点）として画面の中央に表示される。
【０１０２】
そして、この初期画面には、第１の表示画面２０４ａ上の、例えば、左下隅に、予め設定された大きさの第２の表示画面２０４ｂが重なるように単色半透明で表示される。第２の表示画面２０４ｂの中央には第１の表示画面２０４ａに表示されている指示カーソルＣに対応する地図表示開始地点を示す記号（白丸印○）が表示される。
【０１０３】
図４乃至図７は、本発明の実施例１に係る携帯端末装置の表示画面の一例を示す図である。図４は、図３に示す地図画面を表示した後にスクロール動作が開始された直後のスクロールモードで表示された地図画面の一例を示し、図５は、図４に示す地図表示からさらにスクロール動作を続けたときに表示された地図画面の一例を示し、図６は、図５に示す地図表示からさらにスクロール動作を続けたときに表示された地図画面の一例を示している。また、図７は、図４に示す地図表示からさらにスクロール動作を続けたときに表示された地図画面のその他の例を示している
【０１０４】
図４に示すように、スクロールキー２０５ｂが操作されると、表示制御手段２１０の制御により、スクロールモードに切り替わり第２の表示画面２０４ｂ上に図枠記号ＦＣ  を表示する。この場合に、図枠記号ＦＣ  は、第２の表示画面２０４ｂの大きさに対して所定の割合（変換比率）で表示される。そして、スクロールキー２０５ｂが所定時間操作されない状態になるまで、あるいはクリアキーが操作されるまでスクロールモードが継続される。
【０１０５】
第１の表示画面２０４ａには、スクロール動作に伴って現在指示カーソルＣが指定する地点ＰＣ  を中心とする地図画像Ｍ１−２  を表示する。そして、表示開始地点ＰＯ  を示す記号（対角線パターンが施された矩形領域）を対応する位置に表示し、カーソルＣが表示開始地点ＰＯ  とカーソルの現在地点ＰＣ  が直線Ｌで結ばれてカーソル移動状態が視認できるように表示する。
【０１０６】
また、第２の表示画面２０４ｂには、表示開始地点の座標を中心として第１の表示画面２０４ａに最初（スクロール動作開始時）に表示されていた地図の矩形領域に対応する図枠記号ＦＯ  を所定の変換比率に基づいて図枠記号ＦＣ  と同じ大きさで表示する。なお、図４では第１の表示画面２０４ａにおける地図表示開始地点ＰＯ  と指示カーソルの指定する地点ＰＣ  との距離が比較的に短いため、図枠記号ＦＯ  は、図枠記号ＦＣ  と略重畳して表示されることになる。
【０１０７】
さらに、第２の表示画面２０４ｂ（図４では図枠記号ＦＣ  内）には、地図表示開始地点を示す記号（白丸印○）を表示し、この地図表示開始地点（スクロール動作開始点）と指示カーソルの指定する地点（カーソルの現在位置）とが直線で結ばれてカーソルの移動方向が視認できるように表示する。
【０１０８】
さらにスクロールキー２０５ｂが操作されると、表示制御手段２１０の制御により、図５に示すように、第１の表示画面２０４ａには、スクロール動作に伴って現在指示カーソルＣが指定する地点ＰＣ  を中心とする地図画像Ｍ１−３  を表示する。そして、カーソルＣの現在地点ＰＣ  と地図表示開始地点ＰＯ  （図示されず）とが直線Ｌで結ばれてカーソル移動状態が視認できるように表示する。
【０１０９】
また、第２の表示画面２０４ｂには、第１の表示画面２０４ａに表示されている地図の矩形領域に対応する図枠記号ＦＣ  と表示開始地点の座標を中心として第１の表示画面２０４ａに最初に表示されていた地図の矩形領域に対応する図枠記号ＦＯ  を図４と同じ変換比率に基づいて同じ大きさで表示する。なお、図枠記号ＦＣ  は、その枠辺（ここでは上辺と右辺）が第２の表示画面２０４ｂの枠縁（ここでは上縁と右縁）に接するように表示された図５に示す状態までは、指示カーソルＣのスクロール動作に応じて、その大きさを変えずに第２の表示画面２０４ｂ内を移動するように表示されることになる。
【０１１０】
さらに、図枠記号ＦＯ  の中心には地図表示開始地点を示す記号（白丸印○）を表示し、この地図表示開始地点（スクロール動作開始点）と現在の指示カーソルの指定する地点（カーソルの現在位置）を示す図枠記号ＦＣ  の中心とが直線で結ばれてカーソルの移動方向が視認できるように表示する。
【０１１１】
なお、さらにスクロールキー２０５ｂが操作され、地図表示開始地点と指示カーソルの指定する地点との距離が離れると、図６に示すように、第１の表示画面２０４ａには、スクロール動作に伴って現在指示カーソルＣが指定する地点ＰＣ  を中心とする地図画像Ｍ１−４  を表示する。そして、第１の表示画面２０４ａに表示されている地図の矩形領域に対応する図枠記号ＦＣ  の枠辺が第２の表示画面２０４ｂの枠縁に接して図枠記号ＦＣ  の全体が表示されるように変換比率が算出され、この算出された変換比率に基づいて第２の表示画面２０４ｂ内に図枠記号ＦＣ  と図枠記号ＦＯ  を表示する。
【０１１２】
このときの図枠記号ＦＣ  と図枠記号ＦＯ  の大きさは、変換比率に基づいて、図５に示された図枠の大きさよりも小さく表示されるようになる。そして、さらにスクロールキー２０５ｂが操作され、地図表示開始地点と指示カーソルの指定する地点との距離が離れると、その距離に応じて変換比率が算出されて図枠記号ＦＣ  と図枠記号ＦＯ  の大きさはさらに小さく表示されることになる。
【０１１３】
また、図７に示すように、第２の表示画面２０４ｂに、第１の表示画面２０４ａに表示されているＰＯＩを示す記号（黒丸印●）を表示させてもよい。表示制御手段２１０は、第１の表示画面２０４ａに表示されたＰＯＩの座標情報に基づいて、第２の表示画面２０４ｂにおける位置座標へ変換比率を用いて変換することによって各ＰＯＩを示す記号の表示を行うことが可能となる。このようにＰＯＩを示す記号を第２の表示画面２０４ｂに表示することにより、ユーザが現在スクロール指示によって表示させている第１の表示画面２０４ａの情報についてＰＯＩの分布のみを把握することが可能となる。
【０１１４】
さらに、図７に示すように、現在スクロール指示によって表示させている第１の表示画面２０４ａ内のＰＯＩだけではなく、第２の表示画面２０４ｂ全域にわたってＰＯＩを示す記号を表示することが好ましい。このように、第２の表示画面２０４ｂ全域にわたってＰＯＩを示す記号が表示されることによって、ユーザは地図表示開始地点の周囲についてＰＯＩの分布を把握することが可能となる。
【０１１５】
次に、本発明の実施例に係る携帯端末装置における地図表示の動作について説明する。
図２は、本発明の実施例に係る携帯端末装置における地図表示の動作手順を示すフローチャートである。図２に示す動作手順は、携帯端末装置２０の制御手段２０１がＲＯＭに記憶された制御プログラムを実行することで実現される。
【０１１６】
先ず、操作入力手段２０５からユーザが地図表示の開始を指示すると、ステップＳ２０１の処理において、制御手段２０１の制御によって位置取得手段２０３が取得する現在位置または操作入力手段２０５が入力を受け付けた所望の地点情報（住所や施設名など）の地点に基づいて地図表示開始地点を設定し、ステップＳ２０２の処理において、表示制御手段２１０は表示手段２０４の第１の表示画面２０４ａに設定された地図表示開始地点を中心に含む地図表示を開始する。
【０１１７】
地図表示開始後は、ステップＳ２０３の処理において、制御手段２０１は操作入力手段２０５から地図表示の終了を指示する操作入力があったか否か判定し、ユーザから表示終了の入力指示があると判断した場合には、制御手段２０１の制御によって表示制御手段２１０は表示手段２０４への地図表示の処理を終了する。一方、ユーザから表示終了の入力指示がないと判断した場合には、ステップＳ２０４の処理に進む。
【０１１８】
ステップＳ２０４の処理では、制御手段２０１は操作入力手段２０５からユーザが表示されている地図をスクロールさせるためのスクロール動作の指示があったか否か判定し、ユーザからスクロール動作の指示があると判断した場合には、ステップＳ２０５の処理に進み、一方、ユーザからスクロール動作の指示がないと判断した場合には、ステップＳ２０３の処理に戻る。
【０１１９】
ステップＳ２０５の処理では、制御手段２０１の制御によって座標算出手段２０８が指示カーソルの指定する地点の緯度・経度を取得し、ステップＳ２０６の処理において、制御手段２０１の制御によって表示制御手段２１０が指示カーソルの指定する地点を中心とした所定範囲の地図を配信データ記憶手段２０７から読み出して表示手段２０４の第１の表示画面２０４ａに表示させる。
【０１２０】
そして、ステップＳ２０７の処理において、制御手段２０１の制御によって変換比率算出手段２０９が第２の表示画面２０４ｂへの変換比率を算出する。このとき、変換比率算出手段２０９は、ステップＳ２０５の処理により取得した指示カーソルの指定する地点の緯度・経度を現在第１の表示画面２０４ａに表示されている地図の縮尺に基づいて変換した指示カーソルの指定する地点ＰＣ  の座標と、第１の表示画面２０４ａにおける地図表示開始地点ＰＯ  の座標と、第１及び第２の表示画面枠の大きさと、に基づいて変換比率を算出する。
【０１２１】
続いて、ステップＳ２０８の処理において、制御手段２０１の制御によって表示制御手段２１０が第２の表示画面２０４ｂを第１の表示画面２０４ａ上に表示させるとともに、算出された変換比率に基づいて変換された表示開始地点の座標、指示カーソルの指定する地点の座標、表示画面２０４ａに現在表示されている地図の矩形領域を示す図枠記号ＦＣ  を表示手段２０４の第２の表示画面２０４ｂに表示させる。このとき、表示制御手段２１０は、表示開始地点の座標を中心として第１の表示画面２０４ａに最初に表示されていた地図の矩形領域を示す図枠記号ＦＯ  も同時に第２の表示画面２０４ｂに表示させるのが好ましい。
【０１２２】
そして、ステップＳ２０９の処理において、制御手段２０１は操作入力手段２０５から地図表示を元の状態（地図表示開始地点を中心とした地図）に戻すための操作入力があったか否か判定し、ユーザから指示カーソルの移動をクリアする入力指示（クリア信号の入力）があると判断した場合には、ステップＳ２１０の処理に進む。一方、ユーザから指示カーソルの移動をクリアする入力指示がないと判断した場合には、そのままステップＳ２０４の処理に戻る。
【０１２３】
ステップＳ２１０の処理では、制御手段２０１の制御によって表示制御手段２１０は第２の表示画面２０４ｂの表示処理を終了するとともに、第１の表示画面２０４ａに地図表示開始地点を中心とする地図を再び表示させて、ステップＳ２０４の処理に戻る。
【０１２４】
以上詳細に説明したように、本実施例によれば、地図をスクロールさせると地図の表示開始地点と現在指示カーソルが指定する地点との相対位置や、それぞれの地点の周辺にあるＰＯＩを示す記号が第２の表示画面に表示されることになるので、ユーザはその表示画面から現在地図スクロールを行っている位置や方向、ＰＯＩの分布などをイメージで把握することが可能となる。
【実施例２】
【０１２５】
次に、本発明の実施例２について説明する。上記実施例１では、表示手段２０４に表示される地図画像に推奨経路（案内ルート）がない場合について説明したが、実施例２では、表示手段２０４に表示される地図画像に地図配信サーバ３０から配信された経路探索結果に基づいた推奨経路（案内ルート）がある場合について説明する。
【０１２６】
（２−１：スクロール動作の説明）
図８乃至図１０は、本発明の実施例２に係る携帯端末装置の表示画面の一例を示す図である。図８は、地図配信サーバ３０から経路探索結果が配信されたときに表示された推奨経路（案内ルート）を含む地図画面の一例を示し、図９は、図８に示す地図表示からスクロール動作が開始されたときに表示された地図画面の一例を示し、図１０は、図９に示す地図表示からさらにスクロール動作を続けたときに表示された地図画面の一例を示している。
【０１２７】
図８に示すように、地図配信サーバ３０から地図データと経路探索結果が配信されると、初期画面として、表示制御手段２１０の制御により第１の表示画面２０４ａには地図画像Ｍ２−１  と、経路探索結果に基づく出発地点を示す記号Ｓ及び案内ルートＲ（太線）を表示する。地図画像Ｍ２−１  には道路や鉄道などの路線画像のほか、各種ＰＯＩのアイコン画像が含まれている。出発地点を示す記号Ｓは初期表示位置（スクロール動作開始点）として画面の中央に表示される。
【０１２８】
そして、この初期画面には、第１の表示画面２０４ａ上の左下隅に、予め設定された大きさの第２の表示画面２０４ｂを重なるように単色半透明で表示する。この第２の表示画面２０４ｂには、出発地点Ｓと到着地点Ｇを含む両地点を結ぶ案内ルートｒ全体を表示する。
【０１２９】
次にスクロールキー２０５ｂが操作されると、表示制御手段２１０の制御により、図９に示すように、スクロールモードに切り替わり、第２の表示画面２０４ｂには、出発地点Ｓと到着地点Ｇを含む両地点を結ぶ案内ルートｒを表示すると共に、第１の表示画面２０４ａに表示されている地図の矩形領域に対応する図枠記号ＦＣ  と、出発地点Ｓと現在の指示カーソルの指定する地点（カーソルの現在位置）を示す図枠記号ＦＣ  の中心とを結ぶ直線ｌと、を表示する。
【０１３０】
このとき、図枠記号ＦＣ  は、出発地点Ｓと到着地点Ｇとを含む表示領域の大きさ（案内ルートの大きさ）に応じて第２の表示画面２０４ｂの大きさに対して所定の割合で設定され、その枠辺（ここでは下辺と右辺）が第２の表示画面２０４ｂの枠縁（ここでは下縁と右縁）に接するまでは、第１の表示画面２０４ａのスクロール動作に応じて、この予め設定された大きさを維持したまま第２の表示画面２０４ｂ内を移動するように表示されることになる。また、第２の表示画面２０４ｂ内の出発地点Ｓと到着地点Ｇの位置は、スクロールせずに維持したまま表示されることになる。
【０１３１】
また、第１の表示画面２０４ａには、スクロール動作に伴って現在指示カーソルＣが指定する地点ＰＣ  を中心とする地図画像Ｍ２−２  を表示する。そして、カーソルＣの現在地点ＰＣ  と表示開始地点ＰＯ  （図示されず）とが直線Ｌで結ばれてカーソル移動状態が視認できるように表示する。
【０１３２】
さらにスクロールキー２０５ｂが操作されると、表示制御手段２１０の制御により、図１０に示すように、第１の表示画面２０４ａには、スクロール動作に伴って現在指示カーソルＣが指定する地点ＰＣ  を中心とする地図画像Ｍ２−３  を表示する。そして、カーソルＣの現在地点ＰＣ  と地図表示開始地点ＰＯ  （図示されず）とが直線Ｌで結ばれてカーソル移動状態が視認できるように表示する。
【０１３３】
また、第２の表示画面２０４ｂには、第１の表示画面２０４ａに表示されている地図の矩形領域に対応する図枠記号ＦＣ  の枠辺が第２の表示画面２０４ｂの枠縁に接するようにして図枠記号ＦＣ  の全体を表示する。ここで、出発地点Ｓと到着地点Ｇを含む両地点を結ぶ案内ルートｒの全体と、第１の表示画面に対応した現在位置を含む表示領域と、が表示されるように変換比率が算出され、この算出された変換比率に基づいて縮小された図枠記号ＦＣ  を第２の表示画面２０４ｂ内に表示するとともに、出発地点Ｓと到着地点Ｇを含む両地点を結ぶ案内ルートｒの全体を表示する。また、第２の表示画面２０４ｂには、出発地点Ｓと現在の指示カーソルの指定する地点（カーソルの現在位置）を示す図枠記号ＦＣ  の中心とを結ぶ直線ｌを表示する。
【０１３４】
（２−２：ズームアウト動作の説明）
図１１乃至図１３は、本発明の実施例２に係る携帯端末装置の表示画面のその他の例を示す図である。図１１は、地図配信サーバ３０から経路探索結果が配信されたときに表示された推奨経路（案内ルート）を含む地図画面のその他の例を示し、図１２は、図１１に示す地図表示からズームアウト動作が開始されたときに表示された地図画面の一例を示し、図１３は、図１２に示す地図表示からさらにズームアウト動作を続けたときに表示された地図画面の一例を示している。
【０１３５】
図１１に示すように、地図配信サーバ３０から地図データと経路探索結果が配信されると、図８と同じく、表示制御手段２１０の制御により第１の表示画面２０４ａには地図画像Ｍ３−１  と、経路探索結果に基づく出発地点を示す記号Ｓ及び案内ルートＲ（太線）を初期画面として表示する。地図画像Ｍ３−１  には道路や鉄道などの路線画像のほか、各種ＰＯＩのアイコン画像（図示せず）が含まれている。出発地点を示す記号Ｓは初期表示位置（スクロール操作の開始点）として画面の中央に表示される。
【０１３６】
そして、この初期画面には、第１の表示画面２０４ａ上の左下隅に、予め設定された大きさの第２の表示画面２０４ｂを重なるように単色半透明で表示する。この第２の表示画面２０４ｂには、出発地点Ｓと到着地点Ｇを含む両地点を結ぶ案内ルートｒの全体を表示する。
【０１３７】
次にズームアウトキー２０５ｃが操作されると、図１２に示すように、ズームアウトモードに切り替わり、第１の表示画面２０４ａには、表示制御手段２１０の制御により、ズームアウト動作に伴って出発地点Ｓを中心に図１１に示す地図画像Ｍ３−１  を縮小した地図画像Ｍ３−２  を表示する。また、第２の表示画面２０４ｂには、表示制御手段２１０の制御により、出発地点Ｓと到着地点Ｇを含む両地点を結ぶ案内ルートｒを表示すると共に、第１の表示画面２０４ａに表示されている地図の矩形領域に対応する図枠記号ＦＣ  を表示する。
【０１３８】
このとき、図枠記号ＦＣ  は、図１１に示す初期画面における第１の表示画面２０４ａに表示された地図領域の大きさと、第２の表示画面２０４ｂ内に表示された出発地点Ｓと到着地点Ｇとを含む表示領域の大きさ（案内ルートの大きさ）と、に応じて第２の表示画面２０４ｂの大きさに対して所定の割合で設定され、第１の表示画面２０４ａのズームアウト動作中、この予め設定された大きさを維持したまま第２の表示画面２０４ｂ内をスクロールせずにその位置を維持したまま表示されることになる。
【０１３９】
また、第２の表示画面２０４ｂ内の出発地点Ｓと到着地点Ｇを含む両地点を結ぶ案内ルートｒは、この図枠記号ＦＣ  の大きさが維持されたまま表示されるようにズームアウト動作に伴って変換比率が算出され、この算出された変換比率に基づいて縮小されて表示されることになる。
【０１４０】
さらにズームアウトキー２０５ｃが操作されると、図１３に示すように、第１の表示画面２０４ａには、表示制御手段２１０の制御により、ズームアウト動作に伴って出発地点Ｓを中心に図１２に示す地図画像Ｍ３−２  をさらに縮小した地図画像Ｍ３−３  を表示する。
【０１４１】
また、第２の表示画面２０４ｂには、第１の表示画面２０４ａに表示されている地図の矩形領域に対応する図枠記号ＦＣ  を予め設定された大きさを維持したまま第２の表示画面２０４ｂ内をスクロールせずにその位置を維持したまま表示するとともに、出発地点Ｓと到着地点Ｇを含む両地点を結ぶ案内ルートｒを、ズームアウト動作に伴って算出された変換比率に基づいてさらに縮小して表示する。
【０１４２】
（２−３：スクロール後のズームアウト動作の説明）
図１４及び図１５は、本発明の実施例２に係る携帯端末装置の表示画面のその他の例を示す図である。図１４は、図８に示す地図表示からスクロール動作が開始されたときに表示された地図画面のその他の例を示し、図１５は、図１４に示す地図表示からズームアウト動作が開始されたときに表示された地図画面の一例を示している。
【０１４３】
図８に示す地図表示からスクロールキー２０５ｂが操作されると、表示制御手段２１０の制御により、図１４に示すように、スクロールモードに切り替わり、第１の表示画面２０４ａには、スクロール動作に伴って現在指示カーソルＣが指定する地点ＰＣ  を中心とする地図画像Ｍ４−１  を表示する。そして、カーソルＣの現在地点ＰＣ  と地図表示開始地点ＰＯ  （図示されず）とが直線Ｌで結ばれてカーソル移動状態が視認できるように表示する。
【０１４４】
また、第２の表示画面２０４ｂには、図１０と同じく、第１の表示画面２０４ａに表示されている地図の矩形領域に対応する図枠記号ＦＣ  の枠辺（ここでは右辺）が第２の表示画面２０４ｂの枠縁（ここでは右縁）に接するようにして図枠記号ＦＣ  の全体を表示する。ここで、出発地点Ｓと到着地点Ｇを含む両地点を結ぶ案内ルートｒの全体と、第１の表示画面に対応した現在位置を含む表示領域と、が表示されるように変換比率が算出され、この算出された変換比率に基づいて縮小された図枠記号ＦＣ  を第２の表示画面２０４ｂ内に表示するとともに、出発地点Ｓと到着地点Ｇを含む両地点を結ぶ案内ルートｒの全体を表示する。また、第２の表示画面２０４ｂには、出発地点Ｓと現在の指示カーソルの指定する地点（カーソルの現在位置）を示す図枠記号ＦＣ  の中心とを結ぶ直線ｌを表示する。
【０１４５】
次にズームアウトキー２０５ｃが操作されると、図１５に示すように、ズームアウトモードに切り替わり、第１の表示画面２０４ａには、表示制御手段２１０の制御により、ズームアウト動作に伴って現在指示カーソルＣが指定する地点ＰＣ  を中心に図１７に示す地図画像Ｍ４−１  を縮小した地図画像Ｍ４−２  を表示する。また、第２の表示画面２０４ｂには、表示制御手段２１０の制御により、出発地点Ｓと到着地点Ｇを含む両地点を結ぶ案内ルートｒを表示すると共に、第１の表示画面２０４ａに表示されている地図の矩形領域に対応する図枠記号ＦＣ  を表示する。
【０１４６】
このとき、図枠記号ＦＣ  は、図１４に示すズームアウト直前の画面における第２の表示画面２０４ｂ内に表示された図枠記号ＦＣ  と同じ大きさと位置に設定され、第１の表示画面２０４ａのズームアウト動作中、この設定された大きさと位置を維持したまま第２の表示画面２０４ｂ内に表示されることになる。また、第２の表示画面２０４ｂ内の出発地点Ｓと到着地点Ｇを含む両地点を結ぶ案内ルートｒは、この図枠記号ＦＣ  の大きさが維持されたまま表示されるようにズームアウト動作に伴って変換比率が算出され、この算出された変換比率に基づいて縮小されて表示されることになる。
【０１４７】
（２−４：スクロール後のズームイン動作の説明）
図１６は、本発明の実施例２に係る携帯端末装置の表示画面のその他の例を示す図であり、図１０に示す地図表示からズームイン動作が開始されたときに表示された地図画面の一例を示している。
【０１４８】
図１０に示す地図表示からズームインキー２０５ｄが操作されると、図１６に示すように、ズームインモードに切り替わり、第１の表示画面２０４ａには、表示制御手段２１０の制御により、ズームイン動作に伴って現在指示カーソルＣが指定する地点ＰＣ  を中心に図１０に示す地図画像Ｍ２−３  を拡大した地図画像Ｍ２−４  を表示する。また、第２の表示画面２０４ｂには、表示制御手段２１０の制御により、出発地点Ｓと到着地点Ｇを含む両地点を結ぶ案内ルートｒを表示すると共に、第１の表示画面２０４ａに表示されている地図の矩形領域に対応する図枠記号ＦＣ  を表示する。
【０１４９】
このとき、図枠記号ＦＣ  は、図１０に示すズームイン直前の画面における第２の表示画面２０４ｂ内に表示された図枠記号ＦＣ  と同じ大きさと位置に設定され、第１の表示画面２０４ａのズームイン動作中、この設定された大きさと位置を維持したまま第２の表示画面２０４ｂ内に表示されることになる。また、第２の表示画面２０４ｂ内の出発地点Ｓと到着地点Ｇを含む両地点を結ぶ案内ルートｒは、この図枠記号ＦＣ  の大きさが維持されたまま表示されるようにズームイン動作に伴って変換比率が算出され、この算出された変換比率に基づいて拡大されて表示されることになる。
【０１５０】
なお、第２の表示画面２０４ｂ内の出発地点Ｓと到着地点Ｇを含む両地点を結ぶ案内ルートｒは、出発地点Ｓと到着地点Ｇとを含む表示領域の大きさ（案内ルートの大きさ）に応じてズームイン動作中に第２の表示画面２０４ｂ内から外れて表示されなくなる。そのため、ズームイン動作中に第２の表示画面２０４ｂ内から外れて表示されなくなる時点で、出発地点Ｓと到着地点Ｇとを含む表示領域の大きさ（案内ルートの大きさ）を固定して、図枠記号の大きさが変化するように処理するようにしてもよい。
【０１５１】
以上詳細に説明したように、実施例２によれば、第１の表示画面に表示されている地図の座標情報に基づいて、第２の表示画面に表示する場合における座標へ変換を行うことによって、第１の表示画面に表示される地図に含まれる案内経路を第２の表示画面に表示されることができるので、ユーザはスクロール指示や地図の拡大・縮小指示によって表示される第１の表示画面の地図領域が、案内ルートに対してどのような相対位置にあるのかを確認することが可能となる。
【０１５２】
なお、上記実施例では、携帯端末装置と地図配信サーバとからなる通信型のナビゲーションシステムとして説明したが、これに限られることはなく、地図情報の更新が管理可能であれば、携帯端末装置と地図配信サーバが一体となったスタンドアロンで動作する携帯情報装置に地図情報をダウンロードして、携帯情報端末単独で地図情報の表示を行う際に本発明を適用してもよい。
【産業上の利用可能性】
【０１５３】
本発明によれば、携帯端末のような表示領域の限られた表示画面上において複数の表示画面を設けて地図を重畳表示しようとする場合であっても、地図の表示開始地点と現在指示カーソルが指定する地点との相対位置や方向、ＰＯＩの分布や案内ルートなどのユーザの所望する情報を正確に視認し易くすることが可能にとなる。
【図面の簡単な説明】
【０１５４】
【図１】本発明の実施例に係るナビゲーションシステムの構成を示すブロック図である。
【図２】本発明の実施例１に係る携帯端末装置における地図表示の動作手順を示すフローチャートである。
【図３】本発明の実施例に係る携帯端末装置としての携帯電話の外観を示す図である。
【図４】本発明の実施例１に係る携帯端末装置の表示画面の一例を示す図であり、図３に示す地図画面を表示した後にスクロール動作が開始された直後のスクロールモードで表示された地図画面の一例を示している。
【図５】本発明の実施例１に係る携帯端末装置の表示画面の一例を示す図であり、図４に示す地図表示からさらにスクロール動作を続けたときに表示された地図画面の一例を示している。
【図６】本発明の実施例１に係る携帯端末装置の表示画面の一例を示す図であり、図５に示す地図表示からさらにスクロール動作を続けたときに表示された地図画面の一例を示している。
【図７】本発明の実施例１に係る携帯端末装置の表示画面の一例を示す図であり、図４に示す地図表示からさらにスクロール動作を続けたときに表示された地図画面のその他の例を示している。
【図８】本発明の実施例２に係る携帯端末装置の表示画面の一例を示す図であり、地図配信サーバ３０から経路探索結果が配信されたときに表示された推奨経路（案内ルート）を含む地図画面の一例を示している。
【図９】本発明の実施例２に係る携帯端末装置の表示画面の一例を示す図であり、図８に示す地図表示からスクロール動作が開始されたときに表示された地図画面の一例を示している。
【図１０】本発明の実施例２に係る携帯端末装置の表示画面の一例を示す図であり、図９に示す地図表示からさらにスクロール動作を続けたときに表示された地図画面の一例を示している。
【図１１】本発明の実施例２に係る携帯端末装置の表示画面のその他の例を示す図であり、地図配信サーバ３０から経路探索結果が配信されたときに表示された推奨経路（案内ルート）を含む地図画面のその他の例を示している。
【図１２】本発明の実施例２に係る携帯端末装置の表示画面のその他の例を示す図であり、図１１に示す地図表示からズームアウト動作が開始されたときに表示された地図画面の一例を示している。
【図１３】本発明の実施例２に係る携帯端末装置の表示画面のその他の例を示す図であり、図１２に示す地図表示からさらにズームアウト動作を続けたときに表示された地図画面の一例を示している。
【図１４】本発明の実施例２に係る携帯端末装置の表示画面のその他の例を示す図であり、図８に示す地図表示からスクロール動作が開始されたときに表示された地図画面のその他の例を示している。
【図１５】本発明の実施例２に係る携帯端末装置の表示画面のその他の例を示す図であり、図１４に示す地図表示からズームアウト動作が開始されたときに表示された地図画面の一例を示している。
【図１６】本発明の実施例２に係る携帯端末装置の表示画面のその他の例を示す図であり、図１０に示す地図表示からズームイン動作が開始されたときに表示された地図画面の一例を示している。
【符号の説明】
【０１５５】
１０・・・・ナビゲーションシステム
１２・・・・ネットワーク
２０・・・・携帯端末装置
２０１・・・・制御手段
２０２・・・・送受信手段
２０３・・・・位置取得手段
２０４・・・・表示手段
２０５・・・・操作入力手段
２０６・・・・配信要求手段
２０７・・・・配信データ記憶手段
２０８・・・・変換比率算出手段
２０９・・・・座標算出手段
２１０・・・・表示制御手段
３０・・・・地図配信サーバ
３１・・・・地図データベース
３２・・・・経路探索用ネットワークデータベース
【図１】
2010121940.tif 000003
【図２】
2010121940.tif 000004
【図３】
2010121940.tif 000005
【図４】
2010121940.tif 000006
【図５】
2010121940.tif 000007
【図６】
2010121940.tif 000008
【図７】
2010121940.tif 000009
【図８】
2010121940.tif 000010
【図９】
2010121940.tif 000011
【図１０】
2010121940.tif 000012
【図１１】
2010121940.tif 000013
【図１２】
2010121940.tif 000014
【図１３】
2010121940.tif 000015
【図１４】
2010121940.tif 000016
【図１５】
2010121940.tif 000017
【図１６】
2010121940.tif 000018